(57)【要約】【課題】各種電子機器に用いられるタッチパネルに関し、接着剤の付着や押圧痕がなく、操作の容易なものを提供することを目的とする。【解決手段】上基板１と下基板４の上面に紫外線硬化性の接着層９を形成することによって、上基板１や下基板４を貼り合せた後、紫外線を照射して接着層９を硬化させることで、上基板１や下基板４外周からの接着剤のはみ出しや他への付着を防止できると共に、押圧痕も生じづらく、容易に操作が可能なタッチパネルを得ることができる。【選択図】図１
2013054554.tif 000002
【特許請求の範囲】
【請求項１】
上面に略帯状で複数の上導電層が所定方向に配列された上基板と、上面に略帯状で複数の下導電層が上記上導電層と直交方向に配列された下基板と、上記上基板と下基板の上面に形成された接着層からなり、上記接着層を紫外線硬化性の接着層で形成したタッチパネル。
【発明の詳細な説明】
【技術分野】
【０００１】
本発明は、主に各種電子機器の操作に用いられるタッチパネルに関するものである。
【背景技術】
【０００２】
近年、携帯電話や電子カメラ等の各種電子機器の高機能化や多様化が進むなか、液晶表示素子等の表示素子の前面に光透過性のタッチパネルを装着し、このタッチパネルを通して背面の表示素子の表示を見ながら、指等でタッチパネルに触れ操作することによって、機器の様々な機能の切換えを行うものが増えており、使い易く確実な操作を行えるものが求められている。
【０００３】
このような従来のタッチパネルについて、図３を用いて説明する。
【０００４】
なお、この図面は構成を判り易くするために、部分的に寸法を拡大して表している。
【０００５】
図３は従来のタッチパネルの分解斜視図であり、同図において、１はフィルム状で光透過性の上基板で、上面には酸化インジウム錫等の光透過性で略帯状の、複数の上導電層２が前後方向に配列形成されると共に、この上導電層２の前端または後端に連結され、端部が上基板１の外周右端に延出する銅箔製の複数の上電極３が、上導電層２とは直交方向の左右方向に延出形成されている。
【０００６】
また、４は同じくフィルム状で光透過性の下基板で、上面には酸化インジウム錫等の光透過性で略帯状の複数の下導電層５が、上導電層２とは直交方向の左右方向に配列形成されると共に、この下導電層５右端に連結され端部が下基板４の外周右端に延出する、上電極３と同様の複数の下電極６が、下導電層５と平行方向の左右方向に延出形成されている。
【０００７】
さらに、７は光透過性でガラスやポリカーボネート等のカバーで、下基板４上面に上基板１、上基板１上面にカバー７が重ねられると共に、これらが上基板１や下基板４の上面に形成された、アクリルやゴム等の接着層８によって各々貼り合わされて、タッチパネルが構成されている。
【０００８】
そして、このように構成されたタッチパネルが、液晶表示素子等の表示素子の前面に配置されて電子機器に装着されると共に、外周右端に延出した複数の上電極３や下電極６の端部が、フレキシブル配線板やコネクタ（図示せず）等を介して、機器の電子回路（図示せず）に電気的に接続される。
【０００９】
以上の構成において、電子回路から複数の上電極３と下電極６へ順次電圧が印加された状態で、タッチパネル背面の表示素子の表示に応じて、カバー７上面を指等で触れて操作すると、この操作した箇所の上導電層２と下導電層５の間の静電容量が変化するため、これによって操作された箇所を電子回路が検出し、機器の様々な機能の切換えが行われる。
【００１０】
つまり、例えば複数のメニュー等が背面の表示素子に表示された状態で、所望のメニュー上のカバー７上面に指等を触れると、この指に電荷の一部が導電して、操作した箇所のタッチパネルの上導電層２と下導電層５の間の容量が変化し、これを電子回路が検出することによって、所望のメニューの選択等が行われるように構成されているものであった。
【００１１】
なお、この出願の発明に関連する先行技術文献情報としては、例えば、特許文献１が知られている。
【先行技術文献】
【特許文献】
【００１２】
【特許文献１】特開２００９−９３３９７号公報
【発明の概要】
【発明が解決しようとする課題】
【００１３】
しかしながら、上記従来のタッチパネルにおいては、上基板１や下基板４の上面に設けられた接着層８が、熱可塑性で軟らかなアクリルやゴム等から形成されているため、上基板１や下基板４の外周からはみ出し易く、これが他に付着して汚れが生じてしまう場合や、あるいは、カバー７上面を指等で強く押圧すると、この箇所の接着層８が窪んで、押圧痕が発生してしまう場合があるという課題があった。
【００１４】
本発明は、このような従来の課題を解決するものであり、接着剤の付着や押圧痕がなく、操作の容易なタッチパネルを提供することを目的とする。
【課題を解決するための手段】
【００１５】
上記目的を達成するために本発明は、上基板と下基板の上面に形成された接着層を、紫外線硬化性の接着層で形成してタッチパネルを構成したものであり、上基板や下基板を貼り合せた後、紫外線を照射して接着層を硬化させることで、上基板や下基板外周からの接着剤のはみ出しや他への付着を防止できると共に、押圧痕も生じづらく、容易に操作が可能なタッチパネルを得ることができるという作用を有するものである。
【発明の効果】
【００１６】
以上のように本発明によれば、接着剤の付着や押圧痕がなく、操作の容易なタッチパネルを実現することができるという有利な効果が得られる。
【図面の簡単な説明】
【００１７】
【図１】本発明の一実施の形態によるタッチパネルの断面図
【図２】同分解斜視図
【図３】従来のタッチパネルの分解斜視図
【発明を実施するための形態】
【００１８】
以下、本発明の実施の形態について、図１及び図２を用いて説明する。
【００１９】
なお、これらの図面は構成を判り易くするために、部分的に寸法を拡大して表している。
【００２０】
また、背景技術の項で説明した構成と同一構成の部分には同一符号を付して、詳細な説明を簡略化する。
【００２１】
（実施の形態）
図１は本発明の一実施の形態によるタッチパネルの断面図、図２は同分解斜視図であり、同図において、１はポリエチレンテレフタレートやポリエーテルサルホン、ポリカーボネート等のフィルム状で光透過性の上基板で、この上面には酸化インジウム錫や酸化錫等の光透過性で略帯状の複数の上導電層２が、スパッタ法等によって前後方向に配列形成されている。
【００２２】
そして、３は上導電層２の前端または後端に連結された上電極で、酸化インジウム錫等の上に蒸着等によって銅箔が重ねられ、端部が上基板１の外周右端に延出する複数の上電極３が、上導電層２とは直交方向の左右方向に延出形成されている。
【００２３】
また、４は上基板１と同様のフィルム状で光透過性の下基板で、上面には酸化インジウム錫等の光透過性で略帯状の複数の下導電層５が、上導電層２とは直交方向の左右方向に配列形成されると共に、この下導電層５右端に連結され端部が下基板４の外周右端に延出する、上電極３と同様の複数の下電極６が、下導電層５と平行方向の左右方向に延出形成されている。
【００２４】
なお、複数の上導電層２と下導電層５は、複数の方形部が帯状に連結されて形成されると共に、これらの間には、略方形の複数の空隙部が設けられ、上基板１と下基板４が積重された状態では、各々の方形部が各々の空隙部に上下で交互に重なるように形成されている。
【００２５】
さらに、７は光透過性でガラスやポリカーボネート等のカバーで、下基板４上面に上基板１、上基板１上面にカバー７が重ねられると共に、これらが各々上基板１と下基板４の上面に形成された紫外線硬化性の接着層９によって貼り合わされて、タッチパネルが構成されている。
【００２６】
つまり、本実施の形態においては、前後方向に配列形成された複数の上導電層２と、これとは直交方向の左右方向に配列形成された下導電層５が、上基板１やこの下面の接着層９を介して、所定の間隙を空けて対向配置された構成となっている。
【００２７】
なお、このようなタッチパネルの上基板１や下基板４を作製するには、先ず、上基板１や下基板４上面全面にスパッタ法等によって、酸化インジウム錫等の薄膜を形成した後、この上面全面に同じくスパッタ法等によって、銅箔の薄膜を重ねて形成する。
【００２８】
次に、この銅箔の薄膜上面にフォトレジスト法等によって露光・現像して、上電極３や下電極６を形成する箇所をドライフィルム等の絶縁樹脂製の被膜でマスキングした後、上基板１や下基板４を所定のエッチング液に浸漬し、不要な箇所の銅を溶融除去して、酸化インジウム錫等の薄膜上面に、銅箔の複数の上電極３や下電極６を形成する。
【００２９】
そして、この後、酸化インジウム錫等の薄膜上面の上導電層２や下導電層５を形成する箇所を、同じくマスキングして所定のエッチング液に浸漬し、不要な箇所の酸化インジウム錫等を溶融除去して、上基板１や下基板４上面に略帯状の複数の上導電層２や下導電層５、及び酸化インジウム錫等の上に銅箔が重ねられた複数の上電極３や下電極６が形成される。
【００３０】
また、アクリルあるいはスチレンやブタジエンゴム等の分子骨格に、部分的にアクリレートやメタクリレート等の光硬化性の官能基を混入すると共に、アクリレートやメタクリレート等の光反応性モノマーやオリゴマー、４−メチルベンゾフェノン等の光反応開始剤やエチル−４−ジメチルアミノベンゾエート等の硬化促進剤等を配合し、これをシクロヘキサノンやメチルエチルケトン等の希釈溶剤と共にシート上に塗布し乾燥させて、せん断弾性率５×１０2〜５×１０4Ｐａの接着層９を形成する。
【００３１】
さらに、この接着層９によって下基板４と上基板１、上基板１とカバー７を各々貼り合わせ、最後に、これに紫外線を照射して、接着層９をせん断弾性率５×１０4〜５×１０6Ｐａに硬化させて、タッチパネルが完成する。
【００３２】
そして、このように構成されたタッチパネルが、液晶表示素子等の表示素子の前面に配置されて電子機器に装着されると共に、外周右端に延出した複数の上電極３や下電極６の端部が、フレキシブル配線板やコネクタ（図示せず）等を介して、機器の電子回路（図示せず）に電気的に接続される。
【００３３】
以上の構成において、電子回路から複数の上電極３と下電極６へ順次電圧が印加された状態で、タッチパネル背面の表示素子の表示に応じて、カバー７上面を指等で触れて操作すると、この操作した箇所の上導電層２と下導電層５の間の静電容量が変化するため、これによって操作された箇所を電子回路が検出し、機器の様々な機能の切換えが行われる。
【００３４】
つまり、例えば複数のメニュー等が背面の表示素子に表示された状態で、所望のメニュー上のカバー７上面に指等を触れると、この指に電荷の一部が導電して、操作した箇所のタッチパネルの上導電層２と下導電層５の間の容量が変化し、これを電子回路が検出することによって、所望のメニューの選択等が行われるように構成されている。
【００３５】
また、上基板１と下基板４の上面に紫外線硬化性の接着層９を形成し、これによってカバー７と上基板１、下基板４を貼り合せることで、これらが上基板１や下基板４の外周からはみ出して、他に付着することを防ぐことができると共に、カバー７上面を指等で強く押圧した場合にも、この箇所の接着層９の窪みによる押圧痕の発生を防止できるようになっている。
【００３６】
すなわち、硬化前のせん断弾性率５×１０2〜５×１０4Ｐａの接着層９によって、カバー７と上基板１、下基板４を貼り合せた後、紫外線の照射によって接着層９がせん断弾性率５×１０4〜５×１０6Ｐａに硬化しているため、上基板１や下基板４外周からのはみ出しや他への付着がなくなると共に、押圧痕も生じづらくなり、操作が容易に行えるように構成されている。
【００３７】
このように本実施の形態によれば、上基板１と下基板４の上面に紫外線硬化性の接着層９を形成することによって、上基板１や下基板４を貼り合せた後、紫外線を照射して接着層９を硬化させることで、上基板１や下基板４外周からの接着剤のはみ出しや他への付着を防止できると共に、押圧痕も生じづらく、容易に操作が可能なタッチパネルを得ることができるものである。
【産業上の利用可能性】
【００３８】
本発明によるタッチパネルは、接着剤の付着や押圧痕がなく、操作の容易なものを得ることができるという有利な効果を有し、主に各種電子機器の操作用として有用である。
【符号の説明】
【００３９】
１  上基板
２  上導電層
３  上電極
４  下基板
５  下導電層
６  下電極
７  カバー
９  接着層
【図１】
2013054554.tif 000003
【図２】
2013054554.tif 000004
【図３】
2013054554.tif 000005